(57)【要約】【課題】  表示手段への表示データの切り替え処理を短縮し制御手段の稼働率を向上させることである。【解決手段】  時刻ｔ１２のとき、第１フラグＦ１によりＬＣＤ上の表示データＳＤの切り替え要求なしが識別され、第３フラグＦ３により、書き込み可能な表示メモリとして第２表示メモリ２２が識別される。そして第２表示メモリ２２に表示データＳＤが書き込まれ、第２フラグＦ２は１を示し書き込み中を表す（ステップＳ１３）。時刻ｔ１３のとき、ＬＣＤ上の画面の切り替え要求を行うため、第１フラグＦ１は１を示し、切り替え要求有りを表す（ステップＳ１４）。時刻ｔ１４のとき、第２フラグＦ２は０を示し、書き込み終了を表す（ステップＳ１５）。【選択図】図４
2005062773.tif 000002
【特許請求の範囲】
【請求項１】
表示すべきデータを一時的に記憶して表示手段に表示する表示制御方法において、
前記表示すべきデータを一時的に記憶する書き換え可能な記憶手段を複数設け、表示切り替え要求タイミングごとに、表示中のデータが格納された記憶手段以外の他の記憶手段に、次に表示すべきデータを書き込むこと、
を特徴とする表示制御方法。
【請求項２】
表示すべきデータを一時的に記憶して表示手段に表示する表示システムにおいて、
前記表示すべきデータを一時的に記憶する複数の書き換え可能な記憶手段と、
表示切り替え要求タイミングごとに、表示中のデータが格納された記憶手段以外の他の記憶手段に、次に表示すべきデータを書き込む表示制御手段と、
を備えたこと特徴とする表示システム。
【請求項３】
請求項２記載の表示システムにおいて、
前記表示制御手段は、
前記表示手段に表示すべきデータの切り替え要求を示す第１のフラグ、前記表示すべきデータの書き込み動作を示す第２のフラグ、前記複数の記憶手段のうち前記表示すべきデータを書き込むことが可能な記憶手段を特定するための第３のフラグ、に基づいて表示制御を行うこと、
を特徴とする表示システム。
【請求項４】
請求項２又は３記載の表示システムを備えたことを特徴とする画像形成装置。
【発明の詳細な説明】
【技術分野】
【０００１】
本発明は、記憶手段を用いて、表示手段に表示すべきデータを表示する表示制御方法、表示システム、及び、表示システムを備えた画像形成装置に関する。
【背景技術】
【０００２】
液晶ディスプレイ（ＬＣＤ；Liquid Crystal Display）上に画像や文字などの表示すべきデータ（以下、表示データと称す。）を表示させる方法として、画面切り替えタイミングに、一旦ＬＣＤ上の画面を非表示状態にし、ＬＤＣの解像度に対応するために処理された表示データを新たに表示用の記憶手段に書き込み、１画面分の表示データが書き込まれた時点で、ＬＣＤ上の画面を表示状態に戻し、表示用の記憶手段から新たに書き込まれた表示データを読み出してＬＣＤ上に表示させていた。このため、ＬＣＤ上の画面が一旦非表示状態になってしまい、ＬＣＤ上に表示されている画像（表示データ）がちらつき、画質の低下の要因となっていた。
【０００３】
例えば、特許文献１によれば、ＬＤＣ上の画面を非表示状態にすることを防ぐため、液晶モニタの垂直帰線期間中に画像表示用メモリにゲーム画像データを転送する転送手段を備えたゲーム画像生成制御装置が開示されている。
【０００４】
特許文献２によれば、フレームバッファ用メモリに対するアクセスに占める表示アクセスの頻度を低減し描画性能を向上させるため、ＣＲＴ表示画面の各領域に対応した描画フラグを有し、書き換えが行われた位置の描画フラグをセットし、ＬＣＤは描画フラグがセットされている領域のみ書き換えを行うＣＲＴ表示／ＬＣＤ表示変換回路が開示されている。
【特許文献１】特開２００２−６３０２１号公報
【特許文献２】特開平１０−９１１３３号公報
【発明の開示】
【発明が解決しようとする課題】
【０００５】
しかしながら、特許文献１によれば、垂直帰線期間中しか画像表示用メモリへ表示データのアクセス（表示データの書き込み）ができず、特許文献２によれば、描画フラグを用いることにより、表示アクセスの頻度が低減されているが、ＣＲＴ表示／ＬＣＲ表示データのメモリが１つしかないため効率が悪いといった問題がある。また、表示用の記憶手段は、表示データの書き込み動作とＬＣＤ等の表示手段への読み出し（表示）動作を重複して行うことができない。即ち、表示用の記憶手段への表示データ書き込み中は表示手段への表示データの読み出しができず、逆に表示手段への表示データの読み出し中は表示用の記憶手段への表示データの書き込み動作を待機しなければならない。従って、制御稼働率が低下してしまうおそれがある。
【０００６】
本発明の課題は、表示手段への表示データの切り替え処理を短縮し制御手段の稼働率を向上させることである。
【課題を解決するための手段】
【０００７】
請求項１に記載の発明は、表示すべきデータを一時的に記憶して表示手段に表示する表示制御方法において、前記表示すべきデータを一時的に記憶する書き換え可能な記憶手段を複数設け、表示切り替え要求タイミングごとに、表示中のデータが格納された記憶手段以外の他の記憶手段に、次に表示すべきデータを書き込む表示制御方法であること、を特徴としている。
【０００８】
請求項２に記載の発明は、表示すべきデータを一時的に記憶して表示手段に表示する表示システムにおいて、前記表示すべきデータを一時的に記憶する複数の書き換え可能な記憶手段と、表示切り替え要求タイミングごとに、表示中のデータが格納された記憶手段以外の他の記憶手段に、次に表示すべきデータを書き込む表示制御手段と、を備えた表示システムであること、を特徴としている。
【０００９】
請求項３に記載の発明は、請求項２記載の表示システムにおいて、前記表示制御手段は、前記表示手段に表示すべきデータの切り替え要求を示す第１のフラグ、前記表示すべきデータの書き込み動作を示す第２のフラグ、前記複数の記憶手段のうち前記表示すべきデータを書き込むことが可能な記憶手段を特定するための第３のフラグ、に基づいて表示制御を行うこと、を特徴としている。
【００１０】
請求項４に記載の発明は、請求項２又は３記載の表示システムを備えたことを特徴とする画像形成装置であること、を特徴としている。
【発明の効果】
【００１１】
請求項１又は２に記載の発明によれば、表示切り替え要求タイミングごとに、表示中のデータが格納された記憶手段以外の他の記憶手段に、次に表示すべきデータを書き込むことによって、制御稼働率を向上させることができる。
【００１２】
請求項３に記載の発明によれば、請求項２と同様の効果を得られるのは勿論のこと、複数の記憶手段と第１〜３のフラグの動作に基づいて表示制御が行われることによって、制御稼働率を向上させることができる。
【００１３】
請求項４に記載の発明によれば、請求項２又は３と同様の効果を得られるのは勿論のこと、画像形成装置全体の制御稼働率を向上させることができる。
【発明を実施するための最良の形態】
【００１４】
以下、図を参照して本発明の実施の形態を詳細に説明する。
本実施の形態は、ＬＣＤの解像度が６４０×２４０画素の場合について説明する。ＬＣＤ上の画面は、６４０本の垂直方向の走査線と２４０本の水平方向の走査線によって表示される。この走査線の１画面の走査開始タイミングを制御する信号が垂直同期信号ＹＰ、１ラインの走査開始タイミングを制御する信号が水平同期信号ＬＰ、１ライン中の各画素の表示タイミングを制御する信号がクロック信号ＣＬＫである。従って、垂直同期信号ＹＰが１かつ水平同期信号が１のとき、画面が切り替えられＬＣＤ上に新たな表示すべきデータが表示され始める表示切り替え要求タイミングとなる。
【００１５】
図１にＬＣＤに出力される信号のタイミングチャートを示す。
図１に示すように、ＬＣＤの画素の表示は、まず垂直同期信号ＹＰが１のとき１画面の表示を開始するタイミングが指示され、水平同期信号ＬＰが１のとき１画面中の１行目が開始するタイミングが指示される。クロック信号ＣＬＫが１のとき１行目の１画素ごとの表示タイミングが示されるので、クロック信号ＣＬＫに合わせて表示すべきデータとしての表示データＳＤは１画素ずつ表示される。クロック信号ＣＬＫが６４０回１を示すと６４０ドットの画素が表示され、１行目の表示データＳＤが作成されることになる。次に、水平同期信号ＬＰが次の行を示しクロック信号ＣＬＫが６４０ドットの画素を表示すると、更に１行分の表示データＳＤが表示される。かかる動作を２４０回繰り返すことによって、１画面分の表示データＳＤが表示される。
なお、１画面を表示する垂直同期信号ＹＰの周期は、例えば１／６０秒である。
【００１６】
図２は、本実施の形態における画像形成装置内の表示システムに係る制御ブロック図を示す。
図２に示すように、画像形成装置内の表示システムに係る制御は、表示制御手段としての主制御部１０及び表示制御部２０と、操作表示部３０などにより構成されている。
主制御部１０と表示制御部２０とは相互に通信可能なデータバスＤＢなどにより接続されており、アドレスバスＡＢ、チップセレクト信号ＣＳ、書き込み信号Ｓｗ、読み込み信号Ｓｒ等が主制御部１０から表示制御部２０に出力され、割り込み信号Ｓｃは表示制御部２０から主制御部１０に入力されている。
また、表示制御部２０と操作表示部３０とは、垂直同期信号ＹＰ、水平同期信号ＬＰ、クロック信号ＣＬＫ、表示データＳＤ等が表示制御部２０から操作表示部３０に出力されている。
また、操作表示部３０と主制御部１０とは、通信信号Ｓｍにて接続されている。
【００１７】
主制御部１０は、装置全体の動作を集中制御しており、装置全体の動作の演算処理を実行するＣＰＵ（Central Processing Unit）と、表示データＳＤの表示制御を行うための制御プログラムやデータなどを記憶している主記憶部と、処理データを一時的に記憶するＲＡＭと、その他装置内の動作を制御するための制御プログラムやデータなどを記憶しているＲＯＭなどから構成されている（図示略）。
【００１８】
本実施の形態を実現するために、主制御部１０は、主記憶部内に記憶されている表示データＳＤの表示制御を行うための制御プログラムやデータなどをＲＡＭ内に展開する。ＲＡＭ内に展開された制御プログラムやデータ及び操作表示部３０内の操作部３１から送られる通信信号Ｓｍに基づいて、表示データＳＤ及び後述する第１〜３フラグを動作させる制御信号が生成される。生成された表示データＳＤ及び第１〜３フラグを動作させる制御信号は、表示制御部２０に出力される。
【００１９】
また、主制御部１０内のＣＰＵは、ＲＯＭ内などに記憶されているシステムプログラム、各処理プログラム、データを読み出して、ＲＡＭ内に展開し、展開されたプログラムに従って、装置各部の動作を集中制御する。システム全体のタイミング制御、ＲＡＭを使用したデータの記憶及び蓄積制御、外部装置などから送られてきたデータの処理、操作表示部３０に対するデータの入出力制御、他のアプリケーション（ＦＡＸ、プリンタ、スキャナ等）とのインターフェイス（Ｉ／Ｆ）や動作制御を行うものである。
【００２０】
表示制御部２０は、主制御部１０からの信号に基づいて、操作表示部３０内の表示手段としての表示部３２に所定の表示データＳＤを表示させる。
表示制御部２０は、表示データＳＤを一時的に記憶する複数の書き換え可能な記憶手段としての第１表示メモリ２１、第２表示メモリ２２と、主制御部１０からの処理データを一時的に記憶するＲＡＭと、その他表示制御部２０内の動作を制御するためのレジスタ（図示せず）と、表示部３２に表示データＳＤを表示させるための垂直同期信号ＹＰ、水平同期信号ＬＰ、クロック信号ＣＬＫとを生成するタイミング信号生成部などから構成されている（図示略）。
なお、表示制御部２０はゲートアレイ（Gate Array；ＧＡ）などのセミカスタムＬＳＩ（Large Scale Integration）を用いて構成することができる。
【００２１】
表示制御部２０内には、本実施の形態を実現するために第１表示メモリ２１と第２表示メモリ２２とを有している。
第１表示メモリ２１と第２表示メモリ２２への表示データＳＤの書き込み動作及び操作表示部３０への書き出し（表示）動作を行う表示制御は、後述する第１〜３フラグＦ１、Ｆ２、Ｆ３に基づいて動作される。
また、本実施の形態では、記憶手段としての表示メモリを２つ備えているが、更に表示メモリを複数備えていてもよい。
【００２２】
表示制御部２０内には、表示切り替え要求タイミングごとに、第１表示メモリ２１又は第２表示メモリ２２のいずれか一方に格納された表示データＳＤが表示部３２に表示されている場合は、他方の表示メモリに次に表示すべき主制御部１０内で生成された表示データＳＤを書き込む表示制御を行うための第１フラグＦ１と、第２フラグＦ２と、第３フラグＦ３とを有している。
【００２３】
第１フラグＦ１は、表示部３２内のＬＣＤ上に表示データＳＤの切り替え要求を示すフラグである。第１フラグＦ１が１のとき、ＬＣＤ上に表示される表示データＳＤの切り替え要求有りを表し、０のときは切り替え要求無しを表す。
【００２４】
第２フラグＦ２は、主制御部１０から表示データＳＤの書き込み動作を示すフラグである。第２フラグＦ２が１のとき、主制御部１０から表示データＳＤが第１メモリ又は第２メモリに書き込み中であることを表し、０のときは書き込み終了であることを表す。
【００２５】
第３フラグＦ３は、第１表示メモリ２１又は第２表示メモリ２２のうち、表示データＳＤを書き込むことが可能な表示メモリを特定するためのフラグである。第３フラグＦ３が１のとき、第１表示メモリ２１が書き込み可能であることを表し、０のときは第２表示メモリ２２が書き込み可能であることを表す。
即ち、第３フラグＦ３が１のとき第２表示メモリ２２内の表示データＳＤがＬＣＤ上に表示されており、０のとき第１表示メモリ２１内の表示データＳＤがＬＣＤ上に表示されている。
【００２６】
操作表示部３０は、操作部３１と表示部３２により構成される。表示部３２は、表示制御部２０から入力される表示データＳＤに従って装置の状態表示を行う。また、操作部３１は、各種操作ボタンや動作状況等の通信を行い、主制御部１０との間で通信を行う。
【００２７】
操作部３１は、表示部３２の表示画面上を、透明電極を格子状に配置して構成された感圧式（抵抗膜圧式）で覆ったタッチパネルで構成され、手指やタッチペン等で押下された力点のＸＹ座標を電圧値で検出し、検出された位置信号を操作信号として主制御部１０に出力する。また、数字ボタン、スタートボタン等の各種操作ボタンを備え、ボタン操作による操作信号を主制御部１０に出力する。
【００２８】
表示部３２は、ＬＣＤモジュールにて構成されており、表示データＳＤが表示される表示画面としてのＬＳＤ、バックライトシステム、バックライト点灯のためのインバータ、液晶パネルを駆動する垂直、水平ドライバ及び垂直、水平ドライバを駆動し画面表示を制御するコントローラなどを有している。
【００２９】
次に、本実施の形態の動作を説明する。
図３は、主制御部１０から表示制御部２０内の第１表示メモリ２１又は第２表示メモリ２２に表示データＳＤを書き込むタイミングチャートを示す。
操作表示部３０の操作部３１がユーザなどによって操作され、ＬＣＤ上の画面の表示内容が変更され通信信号Ｓｍが操作表示部３０から主制御部１０に出力された時刻ｔ１のとき、まず第１フラグＦ１が参照される。第１フラグＦ１が０を示しているため、表示制御部２０によって表示データＳＤの切り替え要求無しと識別される（ステップＳ１）。
【００３０】
表示データＳＤの切り替え要求無しと識別されると、第３フラグＦ３が参照される。第３フラグＦ３は０を示しているため、表示制御部２０によって書き込み可能な表示メモリは第２表示メモリ２２と識別される（ステップＳ２）。
【００３１】
書き込み可能な表示メモリは第２表示メモリ２２と識別されると、操作表示部３０からの通信信号Ｓｍに基づいて生成された表示データＳＤは、第２表示メモリ２２に書き込まれる。このとき、第２フラグＦ２は１を示し、主制御部１０から指定された表示メモリ（ここでは、第２表示メモリ２２）へ表示データＳＤの書き込み中を表す（ステップＳ３）。
【００３２】
第２表示メモリ２２に表示データＳＤが書き込まれ始めた時刻ｔ２から書き込みが終了される時刻ｔ４の間は第２フラグＦ２は１を示し続け、表示データＳＤ書き込み中を表す。
【００３３】
主制御部１０から第２表示メモリ２２へ表示データＳＤが書き込み途中又は終了前の時刻ｔ３のとき、ＬＣＤ上の画面の切り替え要求を行うため、第１フラグＦ１は１を示し、切り替え要求有りを表す（ステップＳ４）。
【００３４】
主制御部１０から第２表示メモリ２２へ表示データＳＤの書き込みが終了された時刻ｔ４のとき、第２フラグＦ２は０を示し、書き込み終了を表す（ステップＳ５）。
【００３５】
垂直同期信号ＹＰが次の１画面の表示を開始するタイミングまでの間に、更に操作表示部３０の操作部３１がユーザなどによって操作され、ＬＣＤ上の画面の表示内容が変更され通信信号Ｓｍが操作表示部３０から主制御部１０に出力された時刻ｔ５のとき、第１フラグＦ１が参照される。第１フラグＦ１が１を示しているため、表示データＳＤの切り替え要求有りと識別される（ステップＳ６）。
しかし、新たに表示データＳＤが生成され第１表示メモリ又は第２表示メモリに書き込まれるため、表示データＳＤの切り替え要求を取り下げ、第１フラグＦ１は０を示す。第１フラグＦ１は０を示しているため、表示制御部２０によって表示データＳＤの切り替え要求無しと識別される（ステップＳ７）。
【００３６】
表示データＳＤの切り替え要求無しと識別されると、第３フラグＦ３が参照される。第３フラグＦ３は０を示しているため、表示制御部２０によって書き込み可能な表示メモリは第２表示メモリ２２と識別される（ステップＳ８）。
【００３７】
書き込み可能な表示メモリは第２表示メモリ２２と識別されると、主制御部１０は操作表示部３０からの通信信号Ｓｍに基づいて新たに生成された表示データＳＤは、第２表示メモリ２２に新たに書き込まれる。このとき、第２フラグＦ２は１を示し、書き込み中を表す（ステップＳ９）。
【００３８】
第２表示メモリ２２に表示データＳＤが書き込まれ始めた時刻ｔ６から書き込みが終了される時刻ｔ８の間は、第２フラグＦ２は１を示し続け表示データＳＤ書き込み中を表す。
【００３９】
主制御部１０から第２表示メモリ２２へ表示データＳＤが書き込み途中又は終了前の時刻ｔ７のとき、再度ＬＣＤ上の表示データＳＤの切り替え要求を行うため、第１フラグＦ１は１を示し、切り替え要求有りを表す（ステップＳ１０）。
【００４０】
主制御部１０から第２表示メモリ２２へ表示データＳＤの書き込みが終了された時刻ｔ８のとき、第２フラグＦ２は０を示し、書き込み終了を表す（ステップＳ１１）。
【００４１】
第２表示メモリ２２の表示データがＬＣＤ上に表示されている場合においても、同様に第１表示メモリ２１に表示データＳＤを書き込むことができる。
【００４２】
垂直同期信号ＹＰが次の１画面の表示を開始するタイミングまで、第１表示メモリ２１又は第２メモリに新たな表示データＳＤが書き込み可能であるため、常に新しい表示データＳＤが第１メモリ又は第２メモリに書き込むことができる。
【００４３】
図４は、画面切り替え時のタイムチャート例１を示す。
ＬＣＤ上の表示データＳＤの表示切り替え要求タイミングである垂直同期信号ＹＰが１かつ水平同期信号ＬＰが１である時刻ｔ１１のとき、第１フラグＦ１が参照される（ステップＳ１１）。第１フラグＦ１は０を示しているため、ＬＣＤ上の表示データＳＤの切り替え要求無しと識別され、ＬＣＤ上の表示データＳＤは第１表示メモリ２１に書き込まれている表示データＳＤを表示し続ける（ステップＳ１２）。
【００４４】
次に、操作表示部３０の操作部３１がユーザなどによって操作され、ＬＣＤ上の画面の表示内容が変更され通信信号Ｓｍが操作表示部３０から制御部に出力された時刻ｔ１２のとき、第１フラグＦ１によりＬＣＤ上の表示データＳＤの切り替え要求なしと識別され、第３フラグＦ３により書き込み可能な表示メモリとして第２表示メモリ２２が識別される。
主制御部１０によって操作表示部３０からの通信信号Ｓｍに基づいて表示データＳＤが生成され、第２表示メモリ２２に生成された表示データＳＤが書き込まれる。このとき、第２フラグＦ２は１を示し、書き込み中を表す（ステップＳ１３）。
【００４５】
主制御部１０から第２表示メモリ２２へ表示データＳＤが書き込み途中又は終了前の時刻ｔ１３のとき、ＬＣＤ上の表示データＳＤの切り替え要求を行うため、第１フラグＦ１は１を示し、切り替え要求有りを表す（ステップＳ１４）。
【００４６】
主制御部１０から第２表示メモリ２２へ表示データＳＤの書き込みが終了された時刻ｔ１４のとき、第２フラグＦ２は０を示し、書き込み終了を表す（ステップＳ１５）。
【００４７】
そして、次の表示切り替え要求タイミングである垂直同期信号ＹＰが１かつ水平同期信号ＬＰが１である時刻ｔ１５のとき、第１フラグＦ１が参照される。第１フラグＦ１は１を示しているため、表示データＳＤの切り替え要求有りと識別される（ステップＳ１６）。
【００４８】
表示データＳＤの切り替え要求有りと識別されると、第２フラグＦ２が参照され、主制御部１０からの表示データＳＤの書き込み中又は書き込み終了であるかが判定される。第２フラグＦ２は０を示しているため、表示データＳＤの書き込み終了と識別される（ステップＳ１７）。
【００４９】
表示データＳＤの書き込み終了と識別されると、第３フラグＦ３が参照される。ＬＣＤ上に表示される表示データＳＤの切り替え処理が行われるため、書き込み可能なメモリは第１メモリとなり、第３フラグＦ３は０から１に切り替えられる（ステップＳ１８）。
【００５０】
書き込み可能な表示メモリが切り替えられ（第３フラグＦ３が切り替えられ）第３フラグＦ３が１を示すと、ＬＣＤ上に表示される表示データＳＤは、第１表示メモリ２１に書き込まれた表示データＳＤから第２表示メモリ２２に書き込まれた表示データＳＤに切り替えられる（ステップＳ１９）。
【００５１】
ＬＣＤ上に表示される表示データＳＤの切り替え動作が終了すると、第１フラグＦ１は０を示し、表示データＳＤの切り替え要求無しを表す（ステップＳ２０）。
【００５２】
図５は、画面切り替え時のタイムチャート例２を示す。
図５は、表示切り替え要求タイミングのとき、表示データＳＤの切り替え要求があるにも関らず表示メモリに表示データＳＤが書き込み中である場合の表示データＳＤ切り替え時のタイムチャートを示す。
【００５３】
操作表示部３０の操作部３１がユーザなどによって操作され、ＬＣＤ上の画面の表示内容が変更され通信信号Ｓｍが操作表示部３０から主制御部１０に出力された時刻ｔ２０のとき、第１フラグＦ１によりＬＣＤ上の表示データＳＤの切り替え要求なしが識別され、第３フラグＦ３により書き込み可能な表示メモリとして第２表示メモリが識別される。
主制御部１０によって、操作表示部３０からの通信信号Ｓｍに基づいて表示データＳＤが生成され、第２表示メモリ２２に生成された表示データＳＤが書き込まれる。このとき、第２フラグＦ２は１を示し、書き込み中を表す（ステップＳ３１）。
【００５４】
主制御部１０から第２表示メモリ２２へ表示データＳＤが書き込み途中又は終了前の時刻ｔ２１のとき、ＬＣＤ上の表示データＳＤの切り替え要求を行うため、第１フラグＦ１は１を示し、切り替え要求有りを表す（ステップＳ３２）。
【００５５】
主制御部１０から第２表示メモリ２２へ表示データＳＤが書き込み中であり、ＬＣＤ上の表示データＳＤの表示切り替え要求タイミングである垂直同期信号ＹＰが１かつ水平同期信号ＬＰが１である時刻ｔ２２のとき、第１フラグＦ１が参照される。第１フラグＦ１は１を示しているため、表示データＳＤの切り替え要求有りと識別される（ステップＳ３３）。
【００５６】
表示データＳＤの切り替え要求有りと識別されると、第２フラグＦ２が参照され、主制御部１０からの表示データＳＤの書き込み中又は書き込み終了であるかが判定される。第２フラグＦ２は１を示しているため、表示データＳＤの書き込み中と識別される（ステップＳ３４）。
【００５７】
表示データＳＤの書き込み中であると識別されたため、ＬＣＤ上の表示データＳＤは切り替わらず第１表示メモリ２１の表示データＳＤを表示し続ける（ステップＳ３５）。
【００５８】
主制御部１０から第２表示メモリ２２へ表示データＳＤの書き込みが終了された時刻ｔ２３のとき、第２フラグＦ２は０を示し、書き込み終了を表す（ステップＳ３６）。
【００５９】
そして、次の表示切り替え要求タイミングである垂直同期信号ＹＰが１かつ水平同期信号ＬＰが１である時刻ｔ２４のとき、第１フラグＦ１が参照される。第１フラグＦ１は１を示しているため、表示データＳＤの切り替え要求が有りと識別される（ステップＳ３７）。
【００６０】
表示データＳＤの切り替え要求有りと識別されると、第２フラグＦ２が参照され、主制御部１０からの表示データＳＤの書き込み中又は書き込み終了であるかが判定される。第２フラグＦ２は０を示しているため、表示データＳＤの書き込み終了と識別される（ステップＳ３８）。
【００６１】
表示データＳＤの書き込み終了と識別されると、第３フラグＦ３が参照される。ＬＣＤ上に表示される表示データＳＤの切り替え処理が行われるため、書き込み可能なメモリは第１メモリとなり、第３フラグＦ３は０から１へ切り替えられる（ステップＳ３９）。
【００６２】
書き込み可能な表示メモリが切り替えられ（第３フラグＦ３が切り替えられる）第３フラグＦ３が１を示すと、ＬＣＤ上の画面に表示される表示データＳＤは、第１表示メモリ２１に書き込まれた表示データＳＤから第２表示メモリ２２に書き込まれた表示データＳＤに切り替えられる（ステップＳ４０）。
【００６３】
ＬＣＤ上に表示される表示データＳＤの切り替え動作が終了すると、第１フラグＦ１は０を示し、ＬＣＤ上の表示データＳＤの切り替え要求無しを表す（ステップＳ４１）。
【００６４】
一方の表示メモリに書き込まれた表示データがＬＣＤ上に表示中であっても、他方の表示メモリに新たな表示データを書き込むことができ、ＬＣＤ上の表示切り替え要求タイミング時に表示される表示メモリが切り替えられるため、装置の制御稼働率を向上できると共に、ＬＳＤに表示される画面のちらつきを防止することができる。
【図面の簡単な説明】
【００６５】
【図１】ＬＣＤ画面に出力される信号のタイミングチャートである。
【図２】本実施の形態における画像形成装置内の表示システムに係る制御ブロック図である。
【図３】第１表示メモリ２１又は第２表示メモリ２２に表示データＳＤを書き込むタイミングチャートである。
【図４】画面切り替え時のタイムチャート例１である。
【図５】画面切り替え時のタイムチャート例２である。
【符号の説明】
【００６６】
１０  主制御部
２０  表示制御部
２１  第１表示メモリ
２２  第２表示メモリ
３０  操作表示部
３１  操作部
３２  表示部
ＡＢ  アドレスバス
ＣＬＫ  クロック信号
ＣＳ  チップセレクト信号
ＤＢ  データバス
Ｆ１  第１フラグ
Ｆ２  第２フラグ
Ｆ３  第３フラグ
ＬＰ  水平同期信号
Ｓｃ  割り込み信号
ＳＤ  表示データ
Ｓｍ  通信信号
Ｓｒ  読み込み信号
Ｓｗ  書き込み信号
ＹＰ  垂直同期信号
【図１】
2005062773.tif 000003
【図２】
2005062773.tif 000004
【図３】
2005062773.tif 000005
【図４】
2005062773.tif 000006
【図５】
2005062773.tif 000007